(57)【要約】  パケットのフローが、保護されているパケットおよび保護されていないパケットを包含して配信される、無線通信リンクを通じてパケットを送信することに関し、障害状態の存在を検出するために、パケットの伝播のステータスが検証される。障害状態が検出されない場合に、保護されているパケットは、第１の無線リンクを通じて送信され、当該送信は、第１の無線リンク上の利用可能な帯域幅の第１の部分を占有し、保護されていないパケットは、第１の無線リンクの利用可能な帯域幅の残りの部分の少なくとも一部および第２の無線リンクの利用可能な帯域幅の少なくとも一部の上において送信される。障害状態が検出された場合に、保護されているパケットは、第１の無線リンクを通じて送信され、当該送信は、第１の無線リンク上の利用可能な帯域幅の第１の部分を占有し、保護されているパケットの複製が、第２の無線リンクを通じて送信され、前記送信は、第２の無線リンク上の利用可能な帯域幅の第２の部分を占有し、保護されていないパケットは、第１の無線リンクの利用可能な帯域幅の残りの部分の少なくとも一部および第２の無線リンクの利用可能な帯域幅の残りの部分の少なくとも一部の上において送信される。
2014530531.tif 000002
【特許請求の範囲】
【請求項１】
無線通信リンクを通じてパケットを送信する方法であって、パケットのフローを配信するために、少なくとも第１の無線リンクおよび第２の無線リンクが使用され、パケットの前記フローが、保護されているパケットおよび保護されていないパケットを包含する、方法において、
障害状態の存在を検出するために、または、ビットエラーレートを推定するために、第１の無線リンクおよび第２の無線リンクの上におけるパケットの伝播のステータスを検証することと、
障害状態が検出されない場合に、または、ビットエラーレートが最小しきいレベルを下回ると推定された場合に、第１の無線リンクを通じて、保護されているパケットを送信することであって、前記送信が、第１の無線リンク上の利用可能な帯域幅の第１の部分を占有する、保護されているパケットを送信することと、第１の無線リンクの利用可能な帯域幅の残りの部分の少なくとも一部および第２の無線リンクの利用可能な帯域幅の少なくとも一部の上において、保護されていないパケットを送信することと、
障害状態が検出された場合に、または、ビットエラーレートが最小しきいレベルを上回ると推定された場合に、第１の無線リンクを通じて、保護されているパケットを送信することであって、前記送信が、第１の無線リンク上の利用可能な帯域幅の第１の部分を占有する、保護されているパケットを送信することと、第２の無線リンクを通じて、保護されているパケットの複製を送信することであって、前記送信が、第２の無線リンク上の利用可能な帯域幅の第２の部分を占有する、保護されているパケットの複製を送信することと、第１の無線リンクの利用可能な帯域幅の残りの部分の少なくとも一部および第２の無線リンクの利用可能な帯域幅の残りの部分の少なくとも一部の上において、保護されていないパケットを送信することと
を含む、方法。
【請求項２】
第１の無線リンクおよび第２の無線リンクの上における送信が、適応変調および符号化を使用して実施される、請求項１に記載の方法。
【請求項３】
第１の無線リンク上における送信用に使用される変調スキームが、第２の無線リンク上における送信用に使用される変調スキームとは独立して選ばれる、請求項２に記載の方法。
【請求項４】
変調スキームが、保護されているパケットの信頼可能な送信を確保するように選択される、請求項２または請求項３に記載の方法。
【請求項５】
第１の無線リンクおよび第２の無線リンクの上におけるパケットの伝播のステータスを検証することが、信号の平均二乗誤差および順方向誤り訂正ストレスをサンプリングすることを含む、請求項１から４のいずれか一項に記載の方法。
【請求項６】
ビットエラーレートについての前記最小しきい値が、約１ｅ−９である、請求項１から５のいずれか一項に記載の方法。
【請求項７】
無線通信リンクを通じてパケットを送信するための送信機であって、前記パケットが、保護されているパケットおよび保護されていないパケットを包含する、送信機において、
送信において保護されるべきパケットと、送信において保護されるべきではないパケットとを検出するためのクラシファイアと、
パケットを識別してマーク付けするためのマーク付けユニットと、
保護されるべきパケットを複製するためのデュプリケータと、
保護されていないパケットを破棄するための破棄ユニットと、
無線リンクに変調スキームを適用するための変調セレクタであって、前記変調スキームが、無線リンク上のパケットの伝播のステータスに少なくとも従って選択される、変調セレクタと
を備える、送信機。
【請求項８】
無線通信リンクを通じてパケットを受信するための受信機であって、前記パケットが、保護されているパケットおよび保護されていないパケットを包含する、受信機において、
無線リンクのステータスを推定して、無線リンクのステータスを表す標識をパケットに関連付けるためのリンク推定ユニットと、
パケットの多重化されたフローを、保護されているフローと保護されていないフローとに分離するためのデマルチプレクサと、
前記フローのリンク品質に従って、フローを選択するためのセレクタユニットと
を備える、受信機。
【請求項９】
セレクタユニットが、保護されているフローを選択するために構成される、請求項８に記載の受信機。
【請求項１０】
無線リンクのステータスが、平均二乗誤差および順方向誤り訂正ストレスをサンプリングすることによって得られる、請求項８または請求項９に記載の受信機。
【請求項１１】
リンク推定ユニットが、平均二乗誤差および順方向誤り訂正ストレスをサンプリングすることによって、無線リンクのステータスを推定するために構成される、請求項８から１０のいずれか一項に記載の受信機。
【請求項１２】
請求項７に記載の送信機と、請求項８に記載の受信機とを備える、無線通信ネットワーク。
【発明の詳細な説明】
【技術分野】
【０００１】
本発明は、無線リンクを通じて送信されるパケットの保護切り替えに関する。
【背景技術】
【０００２】
保護切り替えは、無線通信において広く知られている。一般的な用語で言うと、保護切り替えは、ネットワークの一端から別の一端へのデータの送信または受信に関与するネットワーク要素またはリンクの故障または機能不良の場合に、接続性を確保するために、通信ネットワークにおいて使用される機構である。広く使用される保護スキームのうちの１つは、典型的に、主チャネルと保護チャネルとの使用を含む。
【０００３】
最近では、無線リンクを通じてパケットを送信するために、技法が開発されてきている。このようなタイプの送信もまた、典型的に、保護機構を必要とする。無線リンクを通じたパケットの保護切り替えのための、知られている技法は、典型的に、１＋１リニア保護切り替えアーキテクチャ、または、１：１リニア保護切り替えアーキテクチャに基づき、無線リンクの２つの無線チャネルを使用する。
【先行技術文献】
【特許文献】
【０００４】
【特許文献１】欧州特許出願第０８３０５９４１．０号
【発明の概要】
【発明が解決しようとする課題】
【０００５】
保護されるべき信号が、パケットのフローであるとき−モバイルバックホーリングネットワークにおいて、より一層頻出するようになった状況であるが−に、これらの保護切り替えアーキテクチャは、以下の様式で典型的に使用される：
フローの１＋１保護の場合、送信側におけるパケットのフローは、元のフローと実質的に同一の第２のフローを生成するために複製され（コピーされ）、当該２つのフローは、２つのチャネルを経由して、すなわち、一方が主チャネルまたはワーキングチャネルを経由して、他方が保護チャネルを経由して、送信される（これらのチャネルは、転送エンティティとも称され得る）。
【０００６】
受信側では、障害状態を経験していないか、または、重要度が低いと考えられる障害状態（信号劣化または信号故障）を経験しているか、のいずれかである転送エンティティから受信されたフローであって、したがって、他方のチャネル上において受信されたフローよりも良好な品質を呈示しているフローが、受信インターフェイスにおいて選択され、利用可能にされる。
【０００７】
フローの１：１保護の場合、送信側におけるパケットのフローは、送信のために、ワーキング転送エンティティにのみ送給される。保護転送エンティティは、待機状態に維持されて、必要とされる場合にのみ、当該ワーキング転送エンティティが障害状態を経験したときに、使用される。
【０００８】
受信側において、ワーキング転送エンティティが、保護転送エンティティよりも劣悪な障害状態（信号劣化または信号故障）を経験していると検出された場合に、送信側におけるパケットのフローは、ワーキング転送エンティティから保護転送エンティティに切り替えられる。１：１の場合においては、同じ転送エンティティを選択するために、送信側と受信側との間の協調スキームが必要とされる。
【０００９】
本明細書において、保護されていないという用語は、場合によって、パケットまたはパケットのフローであって、このようなパケットまたはフローによって搬送されるデータを保護する要件を有さずに、無線リンクを通じて送信されることが意図される、パケットまたはパケットのフローを指すものと理解されるべきである。
【００１０】
上の２つの例において説明された技法にまつわる１つの問題とは、典型的に、保護切り替えのステータスに関係なく、パケットの保護されていないフローを転送することができないことであり、その理由は：
−  １＋１の場合においては、２つの転送エンティティが、保護されているフローを転送するためだけに使用されるためであり、
−  １：１の場合においては、保護されているフローの転送用には通常使用されない保護転送エンティティを使用して、保護されていないフローを搬送することが、原理的には可能であるものの、保護されているフローの送信を、保護転送エンティティに切り替えた場合（このことは、ワーキング転送エンティティが欠陥のある状態を経験したときに生じ得る）に、保護されていないフローが送信されず、したがって、失われてしまうためである。
【００１１】
したがって、上で説明した技法は、無線リソースを最適に使用していない。
【００１２】
無線リソースの使用を改善するための解決策は、Ａｌｃａｔｅｌ  Ｌｕｃｅｎｔの名の下に、１５／１２／２００８に出願された欧州特許出願第０８３０５９４１．０号に提案されている。この解決策によれば、パケットの、保護されているフローおよび保護されていないフローは、保護されているパケットが、第１の無線リンクを通じて送信され、当該保護されているパケットの複製が、第２の無線リンクを通じて送信される、パケットのための選択的無線保護スキームを実施することによって、無線リンクを通じて搬送される。さらに、いくつかの保護されていないパケットは、第１の無線リンクを通じて送信され、いくつかの他の保護されていないパケットは、第２の無線リンクを通じて送信される。
【課題を解決するための手段】
【００１３】
いくつかの実施形態は、無線通信リンクを通じてパケットを送信する方法であって、パケットのフローを配信するために、少なくとも第１の無線リンクおよび第２の無線リンクが使用され、パケットの前記フローが、保護されているパケットおよび保護されていないパケットを包含する、方法において：
−  障害状態の存在を検出するために、または、ビットエラーレートを推定するために、第１の無線リンクおよび第２の無線リンクの上におけるパケットの伝播のステータスを検証することと、
−  障害状態が検出されない場合に、または、ビットエラーレートが最小しきいレベルを下回ると推定された場合に、第１の無線リンクを通じて、保護されているパケットを送信することであって、前記送信が、第１の無線リンク上の利用可能な帯域幅の第１の部分を占有する、保護されているパケットを送信することと、第１の無線リンクの利用可能な帯域幅の残りの部分の少なくとも一部および第２の無線リンクの利用可能な帯域幅の少なくとも一部の上において、保護されていないパケットを送信することと、
−  障害状態が検出された場合に、または、ビットエラーレートが最小しきいレベルを上回ると推定された場合に、第１の無線リンクを通じて、保護されているパケットを送信することであって、前記送信が、第１の無線リンク上の利用可能な帯域幅の第１の部分を占有する、保護されているパケットを送信することと、第２の無線リンクを通じて、保護されているパケットの複製を送信することであって、前記送信が、第２の無線リンク上の利用可能な帯域幅の第２の部分を占有する、保護されているパケットの複製を送信することと、第１の無線リンクの利用可能な帯域幅の残りの部分の少なくとも一部および第２の無線リンクの利用可能な帯域幅の残りの部分の少なくとも一部の上において、保護されていないパケットを送信することと
を含む方法を、特徴として有する。
【００１４】
いくつかの実施形態によれば、第１の無線リンクおよび第２の無線リンクの上における送信は、適応変調および符号化を使用して実施される。
【００１５】
いくつかの実施形態によれば、第１の無線リンク上における送信用に使用される変調スキームは、第２の無線リンク上における送信用に使用される変調スキームとは独立して選ばれる。
【００１６】
いくつかの実施形態によれば、変調スキームは、保護されているパケットの信頼可能な送信を確保するように選択される。
【００１７】
いくつかの実施形態によれば、第１の無線リンクおよび第２の無線リンクの上におけるパケットの伝播のステータスを検証することは、信号の平均二乗誤差および順方向誤り訂正ストレスをサンプリングすることを含む。
【００１８】
いくつかの実施形態は、無線通信リンクを通じてパケットを送信するための送信機であって、前記パケットが、保護されているパケットおよび保護されていないパケットを包含する、送信機において：
−  送信において保護されるべきパケットと、送信において保護されるべきではないパケットとを検出するためのクラシファイアと、
−  パケットを識別してマーク付けするためのマーク付けユニットと、
−  保護されるべきパケットを複製するためのデュプリケータと、
−  保護されていないパケットを破棄するための破棄ユニットと、
−  無線リンクに変調スキームを適用するための変調セレクタであって、前記変調スキームが、無線リンク上のパケットの伝播のステータスに少なくとも従って選択される、変調セレクタと
を備える送信機を、特徴として有する。
【００１９】
いくつかの実施形態は、無線通信リンクを通じてパケットを受信するための受信機であって、前記パケットが、保護されているパケットおよび保護されていないパケットを包含する、受信機において：
−  無線リンクのステータスを推定して、無線リンクのステータスを表す標識をパケットに関連付けるためのリンク推定ユニットと、
−  パケットの多重化されたフローを、保護されているフローと保護されていないフローとに分離するためのデマルチプレクサと、
−  前記フローのリンク品質に従って、フローを選択するためのセレクタユニットと
を備える受信機を、特徴として有する。
【００２０】
いくつかの実施形態によれば、リンク推定ユニットは、平均二乗誤差および順方向誤り訂正ストレスをサンプリングすることによって、無線リンクのステータスを推定するために構成される。
【００２１】
いくつかの実施形態は、本明細書において特徴となる送信機と受信機とを備える、無線通信ネットワークに関する。
【００２２】
本明細書において、無線リンクは、たとえば、無線チャネルであり得る。
【００２３】
本発明の、これらのおよびさらなる特徴および利点については、添付の図面の助けを借りて、以下の説明および特許請求の範囲において、より詳細に説明する。
【図面の簡単な説明】
【００２４】
【図１】この発明の実施形態による、送信側において保護切り替えを実施するように構成された、送信機および受信機を備える無線通信システムの例示的模式図である。
【図２】この発明の実施形態による、送信機側において保護切り替えを実施するように構成された送信機の例示的模式図である。
【図３】この発明の実施形態による、受信側において保護切り替えを実施するように構成された受信機の例示的模式図である。
【発明を実施するための形態】
【００２５】
本明細書において提案される解決策をより深く理解するために、無線システムは、異なる周波数および帯域幅を有する２つの無線チャネルを備えているものと、かつ、当該２つのチャネルによって提供される無線容量が、できるだけ充分に利用されるようにすることを目的として、適応符号化変調（ＡＣＭ）を使用して、信頼可能な配信（保護されているパケット）を有するトラフィックに対しては１＋１リニア保護スキームを実施し、信頼可能でない配信（保護されていないパケット）を有するトラフィックに対しては保護を実施しないことが可能であるものと、考えられる。
【００２６】
この無線システムの実施は、電波伝播における故障、またはハードウェアにおける故障の場合に、信頼可能な配信を有するトラフィックの保護を達成することを可能にすることが考えられ、保護されているトラフィックフローのための、ヒットレス切り替えの可能性をもたらす。
【００２７】
本明細書において特徴となる実施形態によれば、信頼可能な配信を有するトラフィックの保護は、確約された帯域幅に対して、特定のレベルの変調スキーム（これは、個々の場合に応じて決定され得る）において保証される。さらに、より高い変調スキームにおける、さらに利用可能な帯域幅（保護されているトラフィックによって占有されていない帯域幅の残りの部分）、または、保護されているトラフィックのスループットの変動によって利用可能な状態である帯域幅、のいずれかは、保護されていないパケットを送信するために、選択的に使用され得る。
【００２８】
このことは、保護されていない、信頼可能でない配信を有するトラフィックを、２つの無線チャネルの利用可能な帯域幅を通じて送信することによって、行われ得る。トラフィックの或る部分は、１つの無線チャネル上の帯域幅を通じて送信され得、他の或る部分は、第２の無線チャネル上の帯域幅を通じて、静的な方式で送信され得る。
【００２９】
本明細書において、送信の静的な方式とは、たとえばＶＬＡＮまたはＭＰＬＳラベル付けに従ったプロビジョニングによって、割り当てられた送信を指すものと意味する。
【００３０】
もう一つの選択肢として、２つの無線チャネルを通じた、保護されていないパケットの送信を有するトラフィックの、動的負荷バランシングを実施することにより、より一層効率のよい、リソースの使用が得られ得る。動的負荷バランシングは、チャネル上の利用可能な容量に基づき、それに従って当該チャネルのローディングが実施される、知られている分散アルゴリズムを使用することによって、実施され得る。
【００３１】
この発明の実施形態は、以下に説明するように、伝播状態に鑑みて無線リソースをどのように使用すべきかを決定する可能性をもたらす。保護されている、および／または、保護されていないパケットを、無線リンクにどのように割り振るべきかを決定するために、無線リンクを通じたパケットの伝播のステータスが、障害状態の有無を検出するために検証される。このようなステータスは、送信されるパケットが影響を受け得る劣化のレベルに主として関連し得る。たとえば、このようなステータスは、パケットの受信時における、信号の平均二乗誤差（ＭＳＥ）および順方向誤り訂正（ＦＥＣ）ストレスをサンプリングすることによって検証され得、このようなステータスについての関連情報は、知られている手段によって、パケットに付されていることが考えられる。
【００３２】
さらに、ビットエラーレート（ＢＥＲ）に基づいた、無線リンクを通じたパケットの伝播のステータスの推定が、実施され得る。このことは、チャネル伝播状態のステータスの特定を可能にし得る。ＢＥＲの推定されたレベルが最小しきい値を下回る場合、チャネル伝播状態が、満足できるもの（または良好）であることが想定され得、同様に、ＢＥＲの推定されたレベルが最小しきい値を上回る場合、チャネル伝播状態が、満足できるものではない（または不良）であることが想定され得る。
【００３３】
たとえば、ＢＥＲの最小しきい値が、約１ｅ−９であることが考えられ得る。したがって、この値を上回る、推定されたＢＥＲは、不良なチャネル伝播状態を表していることが考えられ得、前記値を下回る、推定されたＢＥＲは、良好なチャネル伝播状態を表していることが考えられるであろう。したがって、伝播のステータスは、パケットの伝播において実質的な障害状態が何ら検出されない場合である、正常な状態下にあること、または、種々の現象によって、たとえば悪天候の状態またはハードウェアの故障によって生じ得る障害状態下にあることが検出され得る。本明細書において、実質的な障害状態がない、とは、障害が全く検出されないか、または、障害が検出された場合でも、このような障害によって生じた劣化のレベルが、依然として最低限のレベルの送信品質を確保するのに容認され得ると考えられる限度内にあるか、のいずれかである伝播のステータスを指すものと意味する。
【００３４】
上述のように、いくつかの知られている解決策は、保護されているパケットを複製すること、および、１つのリンク上において、保護されているパケットを送信し、別のリンク上において、複製された、保護されているパケットを送信することを提案している。この発明の実施形態は、必要時に、このような複製の始動を可能にし、または、ユーザによってそれが決定されたとき、たとえば、（適応モードの動作において）より低いレベルで変調スキームを動かすことを必要とし得る、無線チャネル内で故障が検出されたときに、このような複製の始動を可能にする。
【００３５】
図面に関し、簡単にするために、本明細書および特許請求の範囲の理解に関連すると考えられるブロックのみが示されていることが注記される。
【００３６】
次に図１を参照すると、送信機１１と受信機１２とを備える無線通信システム１０の例示的模式図が示される。送信機１１および受信機１２は、フローをそれぞれ送信および受信するための、それぞれのアンテナ１４および１５を使用する。無線通信システム１０は、双方向性であり、この発明の実施形態によれば、いずれの送信側においても選択的保護切り替えを実施するように構成される。しかしながら、簡単にするために、この図面は、送信の一方向（図面において左から右）のみを示す。
【００３７】
保護されているパケットＰＩＮのフローは、着信パケットＰＩＮの複製を生成し、それによって、その出力において、保護されているパケットＰＩＮ１の第１のフローと、保護されているパケットＰＩＮ２の第２の（複製）フローとを提供することを担当する、トラフィックデュプリケータ１３内に送給され得る。
【００３８】
パケット（またはパケットのフロー）を複製する、とは、第１のパケット（またはパケットの第１のフロー）から、当該第１のパケット（またはパケットのフロー）と厳密に同じであるか、または実質的に同一である情報を包含する第２のパケット（またはパケットの第２のフロー）を複製することを指すものと意味する。
【００３９】
保護されているパケットＰＩＮ１の第１のフローは、第１の送信機内に入力され、保護されているパケットＰＩＮ２の第２のフローは、第２の送信機内に送給される（両方の送信機は、参照番号１１によって示されている）。
【００４０】
保護されていないパケットＵＩＮ１およびＵＩＮ２のフローもまた、図面に示すように、それぞれ、第１の送信機および第２の送信機１１の入力において、このようなフローを提供する、トラフィックデュプリケータ１３内に送給され得る。これらの送信機１１は、それぞれのチャネルを通じて、保護されていないパケットＵＩＮ１およびＵＩＮ２を送信するように構成される。
【００４１】
パケット（保護されているか、または保護されていない、のいずれか）のフローは、特定の用途が必要とする、任意の数のパケットを含み得る。
【００４２】
正常な伝播状態下（実質的な障害状態がない）においては、保護されているフローＰＩＮ１およびＰＩＮ２の両方を送信する必要がないことが考えられるが、その理由は、１つの無線チャネル、たとえば図面中のＦ１を通じた送信が、送信の連続性を確保するのに充分であるためである。したがって、このように正常な状態においては、保護されているフローのうちの１つ（たとえばフローＰＩＮ２）は送信されず、それによって、これ以外の場合であれば複製フローが占有したであろう帯域幅の、対応する一部を、空いていて使用できる状態にする。したがって、この空いていて利用可能な帯域幅は、保護されていないパケットの送信に使用可能となる。したがって、チャネルＦ１上の帯域幅の少なくとも一部が、保護されているパケットＰＩＮ１を搬送するために使用される間に、他方の（第２の）チャネルＦ２上の利用可能な帯域幅が、保護されていないパケットを移送するために、全面的に、または必要な分だけ、使用され得る。
【００４３】
さらに、第１の無線チャネルＦ１上において移送される、保護されているフローＰＩＮ１は、前記第１の無線チャネルＦ１上の利用可能な全帯域幅の使用を必ずしも必要としないことが考えられる。この場合、第１の無線チャネルＦ１上の利用可能な未使用の帯域幅の残りの部分もまた、送信用に使用可能となる。第１の無線チャネルＦ１上の利用可能な帯域幅の、このような残りの部分は、次いで、パケットの保護されていないフローを移送するために使用され得る。
【００４４】
障害状態が生じた場合には、保護されているパケットが、できるだけ高い信頼性を有して送信される必要があるため、保護されているフローの複製、すなわちフローＰＩＮ２を送信するために、第２のチャネルＦ２が使用され得、したがって、送信において、より高い信頼性を確保する。
【００４５】
このような場合、第１のチャネルＦ１上および／または第２のチャネルＦ２上において利用可能なあらゆる残りの帯域幅（保護されているフローの移送に使用されない帯域幅）は、パケットの保護されていないフローを送信するために使用され得る。保護されているパケットおよび保護されていないパケットのフローは、アンテナ１４を使用して、受信端に向けて、送信機１１によって送信される。送信端に関するさらなる詳細は、図２に関して以下に提示する。
【００４６】
保護されているパケットおよび保護されていないパケットのフローは、次いで、アンテナ１５を経由して受信機１２によって受信され、図３に関して以下にさらに詳細に説明するように、パケットを選択してリアセンブルするトラフィックセレクタ１６内に送給される。
【００４７】
保護されているパケットを送信するために使用される変調スキームが、保護されていないパケットを送信するために使用される変調スキームとは異なり得ることが好ましいことに留意されるべきである。しかしながら、１つの単一チャネル上における送信は、単一の変調スキームを使用して行われる。このことは、チャネル上の利用可能な帯域幅の一部が、保護されているパケットを移送するために使用され、別の一部が、保護されていないパケットを移送するために使用される場合、保護されているパケットおよび保護されていないパケットの両方を含む、このようなチャネルの送信が、１つの同じ変調スキーム下で実施されることを意味する。好ましくは、保護されているパケットは、より信頼可能性が高い、より低い変調スキームで（たとえば、４、１６、または６４ＱＡＭで）送信され得る。保護されているこのようなパケットが、保護されていないパケットも移送しているチャネルを使用して送信される場合、このような送信のための変調スキームは、保護されているパケットのための信頼可能な変調を確保するように選択されることが好ましい。
【００４８】
その一方で、チャネルが、保護されていないパケットしか移送していない場合、このような送信は、より信頼可能性が低い、より高い変調スキーム（たとえば１２８ＱＡＭ以上）におけるものであり得る。
【００４９】
したがって、障害状態が生じ、保護されていないパケットを、より高い変調スキームで送信するためだけに以前に使用されていたチャネルが、保護されているパケットを（当該チャネル上の利用可能な帯域幅の少なくとも一部において）送信するために使用される必要がある場合、このチャネル上の変調スキームもまた、より低いスキームに変更され得、それによって、送信に対し、より良好な品質とセキュリティとを確保する。変調スキームのこのような変更は、関連技術において知られている技法である、適応符号化変調（ＡＣＭ）を使用することによって、実施され得ることが好ましい。
【００５０】
無線チャネルＦ１およびＦ２は、互いに独立して使用され得、保護されているパケットもしくは保護されていないパケット（または、それらの組み合わせ）を送信するために、各チャネルが使用され得ること、および、各チャネルが、他方のチャネルに関係なく、移送するようにこれらのチャネルに割り当てられるパケットのタイプ（保護されているか、もしくは保護されていないか、またはそれらの組み合わせ）に従った、変調スキームの変更の影響を受け得ることを意味する。この可能性は、保護されているパケットの、信頼可能な送信を可能にする一方で、動的様式での無線リソースの使用において、大きな柔軟性をもたらす。このシステムは、信頼可能な配信（保護されているパケット）を有するトラフィックに属するパケットが、できるだけ、常に配信されることを確保しようと試みる。このことは、システムの正しい動作のために、保護されているトラフィックの最大レートが、無線リンクの最小帯域幅以下であること、したがって、最も低い変調スキーム（たとえば４ＱＡＭ）の無線帯域幅以下であることを示唆する。信頼可能でない配信（保護されていないパケット）を有するトラフィックに属するパケットは、各無線チャネルを通じて、利用可能な状態である残りの帯域幅を使用して配信される。
【００５１】
いくつかの実施形態により、無線リソースがいかに効率よく使用されるかをさらに詳細に説明するために、以下の非限定的な例が提示される。
【００５２】
以下の状態が想定される：
−  ２つの無線チャネルＦ１およびＦ２が使用される。
−  基準変調スキームは４ＱＡＭである。
−  ４ＱＡＭから１２８ＱＡＭの範囲内における変調スキームを有するＡＣＭ技法が使用される。
−  利用可能なビットレート容量は、４０Ｍｂｐｓから１５０Ｍｂｐｓまで変動し得る。
−  信頼可能な配信（保護されているパケット）を有するトラフィックのレートは、３０Ｍｂｐｓである。
【００５３】
第１のシナリオでは、両方のチャネルに対し、１２８ＱＡＭの変調スキームが使用され、このようなスキームが、各チャネル上で利用可能な、１５０Ｍｂｐｓの帯域幅容量を可能にし得ることを想定する。チャネルＦ１は、保護されているフローを移送するための唯一のチャネルとして使用され得る。このような場合、チャネルＦ１上で利用可能な帯域幅の３０Ｍｂｐｓが、保護されているフローを送信するために使用される。チャネルＦ１上で利用可能な（未使用の）帯域幅の残りの１２０Ｍｂｐｓが、保護されていないフローを送信するために使用され得る。さらに、チャネルＦ２上の利用可能な全帯域幅、すなわち１５０Ｍｂｐｓもまた、保護されていないフローを送信するために使用され得る。
【００５４】
第２のシナリオでは、チャネルＦ１に対し、１６ＱＡＭの変調スキームが使用され、このようなスキームが、利用可能な８０Ｍｂｐｓの帯域幅容量を可能にし得ることを想定し、Ｆ１が、たとえば不良な伝播状態による何らかのレベルの劣化を経験していることが想定される。さらに、チャネルＦ２に対し、１２８ＱＡＭの変調スキームが使用され、このようなスキームが、利用可能な１５０Ｍｂｐｓの帯域幅容量を可能にし得ることを想定する。チャネルＦ１は、当該チャネルＦ１上で利用可能な帯域幅の３０Ｍｂｐｓが、このような、保護されているフローを送信するために使用されるように、保護されているフローを移送するために使用される。したがって、チャネルＦ１上で利用可能な帯域幅の残りの５０Ｍｂｐｓは、保護されていないフロー用に使用され得る。チャネルＦ２が、チャネルＦ１上において送信される、保護されているフローの複製であり得る、保護されているフローを送信するようにも設定されること（なぜなら、チャネルＦ１が、不良な伝播状態により、何らかの劣化を経験しているためである）も想定される。この場合、チャネルＦ２上で利用可能な残りの１２０Ｍｂｐｓの帯域幅もまた、保護されていないフローを送信するために使用され得る。
【００５５】
第３のシナリオでは、チャネルＦ１に対しては、６４ＱＡＭの変調スキームが使用され、このようなスキームが、利用可能な１２０Ｍｂｐｓの帯域幅容量を可能にし得ることを想定し、チャネルＦ２に対しては、１２８ＱＡＭの変調スキームが使用され、このようなスキームが、利用可能な１５０Ｍｂｐｓの帯域幅容量を可能にし得ることを想定する。チャネルＦ１は、当該チャネルＦ１上で利用可能な帯域幅の３０Ｍｂｐｓが、このような、保護されているフローを送信するために使用されるように、保護されているフローを移送するために使用される。したがって、チャネルＦ１上で利用可能な帯域幅の残りの９０Ｍｂｐｓが、保護されていないフロー用に使用され得る。さらに、チャネルＦ２が、保護されていないフローを送信するように設定されることが想定される。この場合、第１のシナリオと同様に、チャネルＦ２上で利用可能な全帯域幅、すなわち１５０Ｍｂｐｓもまた、保護されていないフローを送信するために使用され得る。
【００５６】
第４のシナリオでは、チャネルＦ１に対してだけでなく、チャネルＦ２に対しても、４ＱＡＭの変調スキームが使用され、このようなスキームが、各チャネル上で利用可能な４０Ｍｂｐｓの帯域幅容量を可能にし得ることを想定する。チャネルＦ１は、当該チャネルＦ１上で利用可能な帯域幅の３０Ｍｂｐｓが、このような、保護されているフローを送信するために使用されるように、保護されているフローを移送するために使用される。したがって、チャネルＦ１上で利用可能な帯域幅の残りの１０Ｍｂｐｓは、保護されていないフロー用に使用され得る。同様に、チャネルＦ２は、当該チャネルＦ２上で利用可能な帯域幅の３０Ｍｂｐｓが、このような、保護されているフローを送信するために使用されるように、保護されているフローを移送するために使用される。したがって、チャネルＦ２上で利用可能な帯域幅の残りの１０Ｍｂｐｓは、保護されていないフロー用に使用され得る。
【００５７】
したがって、（たとえば、ＤＳＬＡＭ  Ｅｔｈｅｒｎｅｔ（登録商標）トラフィックのバックホーリングの場合において）信頼可能な配信を有するトラフィックおよび信頼可能でない配信を有するトラフィックの混合物を有するシナリオを、参照として用い、トラフィックの２０％が（たとえばＶｏＩＰまたはＭａｎａｇｅｍｅｎｔサービス用に）保護されるべきであること、トラフィックの８０％が保護されずに送信され得ること（たとえばＩｎｔｅｒｎｅｔサービス）、および、正常な伝播状態下で１５０Ｍｂｐｓにおける無線リンクが利用可能であることを想定して、以下の比較が行われ得る：
１＋１保護スキームを使用する従来のシステムにおいて、リソースの３０Ｍｂｐｓは、典型的に（厳密に）、信頼可能な配信を有するトラフィック用に取っておかれ、１２０Ｍｂｐｓは、典型的に（厳密に）、信頼可能でない配信を有するトラフィック用に取っておかれる。いずれの場合も、トラフィックは、典型的に、２つのチャネルＦ１およびＦ２の上において複製され、したがって、信頼可能でない配信を有するトラフィックにとって利用可能な最大容量は、１２０Ｍｂｐｓである。
【００５８】
これとは対照的に、本明細書において提案された実施形態によれば、選択的フロー保護およびＡＣＭを使用して、信頼可能な配信を有するトラフィックに対し、０−３０Ｍｂｐｓが保証される（しかしながら、事前割り当ては行われない）。この帯域幅は、たとえばチャネルＦ１上において、必要時に使用され得る。しかしながら、１２０−１５０Ｍｂｐｓは、やはり、チャネルＦ１上において、依然として利用可能なままである。さらに、チャネルＦ２上では、１５０Ｍｂｐｓも利用可能である。このことは、信頼可能でない配信（保護されていないパケット）を有するトラフィック用に使用され得る、２７０Ｍｂｐｓまでの容量を生じ、無線リソースの使用における実質的な改善を表す。
【００５９】
次に図２を参照すると、無線チャネル１と無線チャネル２との間における選択的保護切り替えを実施するように構成された送信機２０が示される。典型的なシナリオとして、２つのチャネルの使用が示されているが、本明細書において提案された解決策が、３つ以上のチャネルが使用される場合にも使用され得ることに留意されるべきである。
【００６０】
図２の例で視認され得るように、送信機２０は、チャネル１およびチャネル２の処理のために使用される要素に関して、対称構造を有する。したがって、簡潔にするために、チャネル１に関する要素および処理のみを本明細書において論じるものとするが、チャネル２に対して同様の論述を適用することが可能であるという旨が強調される。
【００６１】
図２を参照すると、パケットＰ１のフローは、無線チャネル１上のクラシファイア２１内に入力されるものと想定される（フローＰ２は、無線チャネル２内に入力され得る）。クラシファイア２１は、サービスのクラスを選別すること、および、どのパケットが保護されているフローに対応して、どのパケットが保護されていないフローに対応しているのかを検出するために、パケットを認識することを担当する。したがって、選別された、保護されているパケットは、次いで、クラシファイアの出力ポート２１ａから出力され、当該パケットを保護されているパケットとして識別してマーク付けするための、マーク付けユニット２２内に入力される。次に、シーケンサ２３は、各パケットにシーケンス番号を付与する。
【００６２】
保護されていないパケットは、クラシファイア２１の出力ポート２１ｂから出力され、当該パケットを保護されていないパケットとして識別してマーク付けするための、別のマーク付けユニット２４内に入力される。
【００６３】
ユニット２３および２４からのそれぞれの出力は、マルチプレクサ２５内において多重化され、当該マルチプレクサ２５は、その出力において、保護されているパケットおよび保護されていないパケットを含む、多重化されたフローを提供し、当該多重化されたフローは、アンテナ２９を使用して送信されるために、出力マルチプレクサ２８に向けて方向付けられる。関連技術の当業者が認識するように、時として、マルチプレクサ２８から出力された、多重化されたフローは、事情に依存して、保護されているフローまたは保護されていないフローのみを含み得る。
【００６４】
必要とされる場合、たとえば、チャネル、たとえばチャネル１において障害状態が存在する場合に、そのチャネル内において、マルチプレクサ２８から出力された多重化されたフローは、前記多重化されたフローの前記複製フローが、図２において他方のチャネル、すなわちチャネル２に向けて方向付けられるように、マルチプレクサ２５の下流にあるデュプリケータ２６において、（知られている手段によって）複製されている。保護されていないパケットの複製を除去するために、破棄ユニット２７は、当該フローから保護されていないパケットを破棄することを担当し、それにより、当該フロー上において、保護されているパケットのみを維持する。保護されているパケットの、複製されたフローは、次いで、当該複製されたフローが方向付けられる、チャネル２のマルチプレクサ２８内に送給され、アンテナ２９から送信される。
【００６５】
送信機は、保護されているもの、もしくは保護されていないもの、またはそれらの組み合わせが、それを通じて送信されるべきチャネルに、変調スキームを適用するための変調セレクタを備え得る。このような変調スキームは、無線リンク上のパケットの伝播のステータスに少なくとも従って選択される。変調に関する他の基準は、パケットに割り振られたサービスのクラスであり得る。各チャネルの変調スキームを決定するために、適応符号化変調が使用されることが好ましい。
【００６６】
図２に関する上の説明は、特に、障害状態が存在する場合における、１＋１保護の提供に関する。しかしながら、この発明の実施形態は、１つの無線チャネル（たとえばチャネル１）上でのみ、保護されているパケットのみを送信する可能性を提供する。このことは、障害状態が送信において存在しない場合であり得る。このような場合、保護されているパケットの送信は、１つのチャネル上においてのみ実施され、保護されていないチャネルは、図１に関して既に論じたように、チャネル１または２の残りの帯域幅容量を通じて送信される。保護されていないパケットの送信は、たとえば静的構成、ＭＡＣまたはＩＰヘッダに基づくハッシュアルゴリズム、負荷バランシングアルゴリズム、その他、などの特定の送信基準に基づいて実施され得る。
【００６７】
図３は、この発明の実施形態による保護切り替えのシナリオにおいて、受信を実施するように構成された受信機３０の例示的模式図である。ここでもまた、図２の送信機と同様に、構造は対称的であり、したがって、チャネル１に関連する要素および処理のみを論じるものとする。
【００６８】
受信機３０は、チャネル１内において、保護されているおよび／もしくは保護されていないパケットＰ１の多重化されたフローを、または、チャネル２内において、保護されているおよび／もしくは保護されていないパケットＰ２の多重化されたフローを、受信するように構成される。このようなフローは、次いで、トラフィック上においてリンクが生じ得る、考えられるだけのあらゆる劣化の観点から、無線リンクのステータスを表す標識を各パケットに関連付けることを担当する、リンク推定および無線警報ユニット３１に送付される。このようなステータスは、パケットの受信時における、信号の平均二乗誤差（ＭＥＳ）および順方向誤り訂正（ＦＥＣ）ストレスに関連し得る。
【００６９】
多重化された、受信されたフローは、次いで、タイムスロットを抽出するためのユニット３２と、当該多重化されたフロー上にリンク品質タグを付すための後続ユニット３３とに送給される。次に、多重化されたフローは、パケットの当該多重化されたフローを、保護されているフローと保護されていないフローとに分離するデマルチプレクサ３４内に入力される。保護されていないフローは、第１の出力ポート３４ａから出力され、回路のさらなる段に、たとえばマルチプレクサ３９に進む。このような、保護されていないトラフィックは、単一のフローに、単にリアセンブルされる。
【００７０】
保護されているフローは、第２の出力ポート３４ｂにおいて出力されて、異なる無線リンクが異なる伝播時間を有し得るが故に、２つの複製された、保護されているパケットが経験した待ち時間の差を補償することを担当する、フローアライナおよび待ち時間補償ユニット３６内に入力される。
【００７１】
アライナ待ち時間補償ユニット３６の出力は、ユニット３４によって付された、それらのリンク品質タグに従ってフローを選択することを担当する、セレクタユニット３７内に入力される。選択が一旦行われると、（他方のチャネル上の、複製された、保護されているパケットに比べて）品質がより低い、保護されているパケットは、破棄／オンボードユニット３８において、フローから破棄され得る。このようなフローが破棄されない場合、当該フローは、後に、回路のさらなる段に、たとえばマルチプレクサ３９に出力される。それとは逆に、このようなフローが破棄された場合、他方のチャネルのセレクタユニット３７から出力されたフローが、アクティブなチャネルであると考えられることを意味し、このフローは、回路のさらなる段に出力される。
【００７２】
２つのチャネル上のセレクタユニット３７の各々の出力が、厳密に、または実質的に同じであることが考えられるが、トラフィックが複製されないことを確保するために、２つのセレクタユニット３７のうちの１つの出力が、特定の構成に従って破棄されることに留意されるべきである。
【００７３】
デマルチプレクサ３４の出力ポート３４ｂから出力されたフローは、多重化されたフローが、１つのチャネル、たとえば無線チャネル１から、当該無線チャネル１のフローアライナおよび待ち時間補償ユニット３６に向けて方向付けられるように、また、このような多重化されたフローの複製が、チャネル１のフローアライナおよび待ち時間補償ユニット３６に関して論じた、類似する処理が実施される、無線チャネル２上の対応するフローアライナおよび待ち時間補償ユニット３６に向けて方向付けられるように、マルチプレクサ３４の下流にあるデュプリケータ３５において、（知られている手段によって）複製され、後続の段が、当該フロー上において実施される。
【００７４】
適応符号化された変調が使用される場合、および、正常な伝播状態（したがって、１つのチャネルのみが、保護されているパケットを送信する）において、アライナユニット３６およびセレクタユニット３７は、その無線チャネルから受信された、保護されているパケットに対してのみ作用し得る。
【００７５】
このようにして、リンクを通じて送信されるべきパケットの選択的フロー保護に対して、無線リソースの効率の良い使用における実質的な改善を可能にする解決策が提供される。
【００７６】
図面に関して論じられた要素は、これらの使用が、当該技術の当業者に知られており、かつ、特定用途向け集積回路（ＡＳＩＣ）、フィールドプログラマブルゲートアレイ（ＦＰＧＡ）、および／または、マイクロプロセッサなどの手段であって、好ましい実施形態においては、超高速集積回路ハードウェア記述言語（ＶＨＤＬ）もしくはＣプログラミング言語などのソフトウェアプログラムを介するか、またはそれらと併用される手段が含まれる、ハードウェアデバイス、ソフトウェアモジュール、またはハードウェアデバイスとソフトウェアモジュールとの組み合わせであり得るブロックを含んでいることが考えられる。したがって、保護の範囲が、このようなプログラムにまで、加えて、その中にメッセージを有するコンピュータ可読手段にまで拡張されること、および、このようなコンピュータ可読記憶手段が、このプログラムがコンピュータ、ＡＳＩＣ、ＦＰＧＡ、またはマイクロプロセッサの上で稼動されたときに、当該方法の１つまたは複数のステップを実施するためのプログラムコード手段を包含することを理解されたい。
【００７７】
対応する請求項において記載および列挙されたこの発明の方法のステップの順序が、呈示および記載された順序に限定されず、この発明の範囲から逸脱することなく変動し得ることに、さらに留意されるべきである。
【図１】
2014530531.tif 000003
【図２】
2014530531.tif 000004
【図３】
2014530531.tif 000005
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
無線通信リンクを通じてパケットを送信する方法であって、パケットのフローを配信するために、少なくとも第１の無線リンク（Ｆ１）および第２の無線リンク（Ｆ２）が使用され、パケットの前記フローが、保護されているパケット（ＰＩＮ１、ＰＩＮ２）および保護されていないパケット（ＵＩＮ１、ＵＩＮ２）を包含し、方法が、
障害状態の存在を検出するために、または、ビットエラーレートを推定するために、第１の無線リンク（Ｆ１）および第２の無線リンク（Ｆ２）の上におけるパケットの伝播のステータスを検証することと、
障害状態が検出されない場合に、または、ビットエラーレートが最小しきいレベルを下回ると推定された場合に、第１の無線リンク（Ｆ１）を通じて、保護されているパケット（ＰＩＮ１、ＰＩＮ２）を送信することであって、前記送信が、第１の無線リンク上の利用可能な帯域幅の第１の部分を占有する、保護されているパケット（ＰＩＮ１、ＰＩＮ２）を送信することと、第１の無線リンクの利用可能な帯域幅の残りの部分の少なくとも一部および第２の無線リンク（Ｆ２）の利用可能な帯域幅の少なくとも一部の上において、保護されていないパケット（ＵＩＮ１、ＵＩＮ２）を送信することと
を含む、方法において、
障害状態が検出された場合であって、このような障害状態が、信号劣化もしくは信号故障である、障害状態が検出された場合に、または、ビットエラーレートが最小しきいレベルを上回ると推定された場合に、第１の無線リンク（Ｆ１）を通じて、保護されているパケット（ＰＩＮ１、ＰＩＮ２）を送信することであって、前記送信が、第１の無線リンク（Ｆ１）上の利用可能な帯域幅の第１の部分を占有する、保護されているパケット（ＰＩＮ１、ＰＩＮ２）を送信することと、第２の無線リンク（Ｆ２）を通じて、保護されているパケット（ＰＩＮ１、ＰＩＮ２）の複製を送信することであって、前記送信が、第２の無線リンク（Ｆ２）上の利用可能な帯域幅の第２の部分を占有する、保護されているパケット（ＰＩＮ１、ＰＩＮ２）の複製を送信することと、第１の無線リンク（Ｆ１）の利用可能な帯域幅の残りの部分の少なくとも一部および第２の無線リンク（Ｆ２）の利用可能な帯域幅の残りの部分の少なくとも一部の上において、保護されていないパケット（ＵＩＮ１、ＵＩＮ２）を送信することと
をさらに含むことを特徴とする、方法。
【請求項２】
第１の無線リンク（Ｆ１）および第２の無線リンク（Ｆ２）の上における送信が、適応変調および符号化を使用して実施される、請求項１に記載の方法。
【請求項３】
第１の無線リンク（Ｆ１）上における送信用に使用される変調スキームが、第２の無線リンク（Ｆ２）上における送信用に使用される変調スキームとは独立して選ばれる、請求項２に記載の方法。
【請求項４】
変調スキームが、保護されているパケットの信頼可能な送信を確保するように選択される、請求項２または請求項３に記載の方法。
【請求項５】
第１の無線リンク（Ｆ１）および第２の無線リンク（Ｆ２）の上におけるパケットの伝播のステータスを検証することが、信号の平均二乗誤差および順方向誤り訂正ストレスをサンプリングすることを含む、請求項１から４のいずれか一項に記載の方法。
【請求項６】
ビットエラーレートについての前記最小しきい値が、約１ｅ−９である、請求項１から５のいずれか一項に記載の方法。
【請求項７】
無線通信リンクを通じてパケットを送信するための送信機（１１）であって、前記パケットが、保護されているパケットおよび保護されていないパケットを包含する、送信機（１１）において、
送信において保護されるべきパケットと、送信において保護されるべきではないパケットとを検出するためのクラシファイア（２１）と、
パケットを識別してマーク付けするためのマーク付けユニット（２２）と、
保護されるべきパケットを複製するためのデュプリケータ（２６）と、
保護されていないパケットを破棄するための破棄ユニット（２７）と、
無線リンクに変調スキームを適用するための変調セレクタであって、前記変調スキームが、無線リンク上のパケットの伝播のステータスに少なくとも従って選択される、変調セレクタと
を備え、
送信機（１１）が、第１の無線リンクを通じて、保護されているパケットを送信することであって、前記送信が、第１の無線リンク上の利用可能な帯域幅の第１の部分を占有する、保護されているパケットを送信することと、第２の無線リンクを通じて、保護されているパケットの複製を送信することであって、前記送信が、第２の無線リンク上の利用可能な帯域幅の第２の部分を占有する、保護されているパケットの複製を送信することと、第１の無線リンクの利用可能な帯域幅の残りの部分の少なくとも一部および第２の無線リンクの利用可能な帯域幅の残りの部分の少なくとも一部の上において、保護されていないパケットを送信することとを行うために構成されることを特徴とする、送信機（１１）。
【請求項８】
無線通信リンクを通じてパケットを受信するための受信機（１２）であって、前記パケットが、保護されているパケットおよび保護されていないパケットを包含し、受信機（１２）が、
無線リンクのステータスを推定して、無線リンクのステータスを表す標識をパケットに関連付けるためのリンク推定ユニット（３１）と、
パケットの多重化されたフローを、保護されているフローと保護されていないフローとに分離するためのデマルチプレクサ（３４）と、
前記フローのリンク品質に従って、フローを選択するためのセレクタユニット（３７）と
を備える、受信機（１２）において、
保護されているフローを複製して、第１の保護されているフローを第１のフローアライナおよび待ち時間補償ユニット（３６）に送付し、第１のフローの複製を第２のフローアライナおよび待ち時間補償ユニット（３６）に送付するためのデュプリケータ（３５）
をさらに備えることを特徴とする、受信機（１２）。
【請求項９】
セレクタユニット（３７）が、保護されているフローを選択するために構成される、請求項８に記載の受信機。
【請求項１０】
無線リンクのステータスが、平均二乗誤差および順方向誤り訂正ストレスをサンプリングすることによって得られる、請求項８または請求項９に記載の受信機。
【請求項１１】
リンク推定ユニット（３１）が、平均二乗誤差および順方向誤り訂正ストレスをサンプリングすることによって、無線リンクのステータスを推定するために構成される、請求項８から１０のいずれか一項に記載の受信機。
【請求項１２】
請求項７に記載の送信機と、請求項８に記載の受信機とを備える、無線通信ネットワーク。
【国際調査報告】
2014530531.tif 000006
2014530531.tif 000007
2014530531.tif 000008